(57)【要約】【課題】製造性を向上できる回転ブラシを備えた床ブラシを提供する。【解決手段】ブラシ台１４の軸方向の両端部からシャフト３２を突出した状態でブラシ台１４と同心状に取り付ける。シャフト３２の両端部に固定部３３を設ける。固定部３３が嵌合してシャフト３２に対して受板４１を回り止めする保持孔４２を受板４１に設ける。固定部３３を保持孔４２に圧入して嵌合するだけで受板４１をシャフト３２に対して容易に回り止めできるため、製造性を向上できる。【選択図】        図１
2004351149.tif 000002
【特許請求の範囲】
【請求項１】
外周面に突出して清掃部材が設けられた取付部材と、
この取付部材に挿通されるとともに軸方向の少なくとも一端部から突出した状態に取り付けられる軸体と、
この軸体を前記取付部材に取り付けた状態で前記取付部材から突出する部分に一体に設けられた固定部と、
前記取付部材の少なくとも一端部を保持する保持部材と、
この保持部材に設けられ、前記固定部が嵌合して前記軸体に対して前記保持部材を回り止めする回り止め部と
を具備したことを特徴とする回転清掃体。
【請求項２】
固定部および回り止め部のいずれか一方は、少なくとも一つの第１の嵌合部を備え、
前記固定部および回り止め部のいずれか他方は、前記第１の嵌合部が嵌合可能な第２の嵌合部を複数備えている
ことを特徴とした請求項１記載の回転清掃体。
【請求項３】
固定部は、
軸体の少なくとも一端部に設けられた溝部と、
この溝部に固定され、回り止め部に嵌合可能な回り止め体とを備えている
ことを特徴とした請求項１記載の回転清掃体。
【請求項４】
請求項１ないし３いずれか一記載の回転清掃体を具備した
ことを特徴とした電気掃除機の吸込口体。
【発明の詳細な説明】
【０００１】
【発明の属する技術分野】
本発明は、外周面に突出して清掃部材が設けられた取付部材を有する回転清掃体およびこれを備えた電気掃除機の吸込口体に関する。
【０００２】
【従来の技術】
従来、この種の電気掃除機の吸込口体に取り付けられる回転清掃体としての回転ブラシは、略円筒状の取付部材としてのブラシ台を備えている。このブラシ台は、直線状に押し出し成形されている。また、このブラシ台の外周面には、清掃部材としてのブラシ部材、あるいは掻取部材が突出して設けられている。さらに、ブラシ台の中心には、軸体としてのシャフトが挿通されている。そして、ブラシ台の両端部には、ブラシ台の両端部を保持してシャフトに固定する保持部材としての略円筒状の軸受が取り付けられている（例えば、特許文献１参照。）。
【０００３】
ここで、シャフトの両端部には、それぞれ挿通孔が径方向に向けて貫通して設けられている。また、軸受は、径方向に向けて軸受挿通孔が穿設されている。そして、軸受にてブラシ台の端部を保持してこのブラシ台を周方向に向けて螺旋状に捻った状態で軸受挿通孔とシャフトの挿通孔とを位置合わせして、ピンなどをこれら軸受挿通孔と挿通孔とに挿通させることで、軸受をシャフトに対して回り止めする。
【０００４】
【特許文献１】
特開平１０−３３４２８号公報（第３−４頁、図２）
【０００５】
【発明が解決しようとする課題】
しかしながら、上述の回転ブラシでは、軸受挿通孔と挿通孔との位置合わせが容易でない。特に、シャフトが中空パイプ状に形成されている場合には、軸受挿通孔の一端側と他端側とを位置合わせすることも容易でない。
【０００６】
この結果、製造性が良好でないという問題点を有している。
【０００７】
本発明はこのような点に鑑みなされたもので、製造性を向上できる回転清掃体およびこれを備えた電気掃除機の吸込口体を提供することを目的とする。
【０００８】
【課題を解決するための手段】
本発明は、外周面に突出して清掃部材が設けられた取付部材の軸方向の少なくとも一端部から突出した状態に挿通される軸体と、この軸体の取付部材から突出する部分に一体に設けられた固定部と、取付部材の少なくとも一端部を保持する保持部材と、この保持部材に設けられ、固定部が嵌合して軸体に対して保持部材を回り止めする回り止め部とを具備したものである。そして、軸体の取付部材から突出した部分に一体に設けられた固定部を回り止め部に嵌合するだけで保持部材が軸体に対して容易に回り止めされるため、製造性が向上する。
【０００９】
【発明の実施の形態】
以下、本発明の第１の実施の形態の電気掃除機の構成を図１ないし図５を参照して説明する。
【００１０】
図５において、１は掃除機本体で、この掃除機本体１の内部には、電動送風機２が収容されている。また、この掃除機本体１は、電動送風機２の駆動にて生じる吸気風とともに吸い込んだ塵埃を捕捉して集塵する。
【００１１】
さらに、この掃除機本体１の前側略中央には、外部から空気を吸引する本体吸込口３が開口されている。この本体吸込口３には、湾曲可能な細長略円筒状の接続管としてのホース体４が連通接続されている。このホース体４の先端には、電動送風機２の動作モードなどが選択可能な手許操作部５が設けられている。
【００１２】
そして、この手許操作部５には、掃除機本体１内の電動送風機２などの駆動状態を所定の状態に設定する複数の設定ボタン６が設けられているとともに、掃除する際に作業者が把持する把持部７が基端側に突設されている。また、この手許操作部５の先端には、伸縮可能な細長略円筒状の延長管８が着脱可能に連通接続されている。さらに、この延長管８の先端には、例えば室内の床面の絨毯などの上に設置させて、この絨毯上の塵埃を吸い込む床ブラシ９が着脱可能に連通接続されている。この床ブラシ９は、電気掃除機の吸込口体である。
【００１３】
また、この床ブラシ９は、図３および図４に示すように、前後方向である走行方向に対して横長で、後部略中央が後方に向けて突出する凸字状のケース体１１を備えている。このケース体１１における被掃除面としての床面に対向する下面には、細長矩形状の吸込口１２が開口形成されている。この吸込口１２は、ケース体１１の走行方向の前側に偏位した位置に設けられており、このケース体１１の走行方向に対する幅方向に沿った長手方向を有した横長矩形状に形成されている。
【００１４】
さらに、このケース体１１の吸込口１２の内側には、細長略円筒状の回転清掃体としての回転ブラシ１３が走行方向に向けて回転自在に軸支されて配設されている。この回転ブラシ１３は、ケース体１１の吸込口１２を床面に対向させた際に、この床面に対向するように取り付けられている。そして、この回転ブラシ１３は、図１に示すように、細長略円筒状の取付部材としての清掃台であるブラシ台１４を備えている。このブラシ台１４は、例えばオレフィン系の合成樹脂などの部材を押し出し成形して設けられている。このため、ブラシ台１４は、周方向に向けて捻り加工が可能であり、かつこの捻られた形状をある程度保持可能となっている。
【００１５】
またさらに、ブラシ台１４の外周面には、図１ないし図４に示すように、取付凹部としての係合凹部１５が複数、例えば４つ設けられている。これら係合凹部１５は、ブラシ台１４の軸方向に沿ってこのブラシ台１４の一端部から他端部の間に亘って連続した直線状に設けられている。
【００１６】
また、これら係合凹部１５は、長手方向をブラシ台１４の長手方向に沿わせた状態で、ブラシ台１４の周方向に間隔をおいて等間隔な位置にそれぞれ設けられている。そして、これら係合凹部１５は、図１および図３に示すように、内部が周方向に幅広となる拡大部１６と、この拡大部１６から外周面に連通しこの拡大部１６より幅狭な連通部１７とにて、段差を設けて断面形状が先端幅狭爪状である凹状に形成されている。ここで、これら係合凹部１５の拡大部１６は、基端側が断面凹弧状に形成されており、先端側の内縁が基端側に対向した平面状に形成されている。
【００１７】
そして、これら各係合凹部１５には、清掃部材としての磨き部材である略細長平板状のブラシ部材２１、および、清掃部材としての略細長平板状のブレード部材、すなわちゴムブレードなどである掻取部材２２の基端側が、周方向に沿って交互に係止されて取り付けられている。これらブラシ部材２１および掻取部材２２は、ブラシ台１４の各係合凹部１５に基端側が係止された状態で、このブラシ台１４の径方向に向けてブラシ台１４の外周面から壁状にそれぞれ突出している。
【００１８】
ここで、ブラシ部材２１は、ブラシ台１４の係合凹部１５の断面形状に略合致した形状である細長略板状のブラシ取付部２３を備えている。このブラシ取付部２３は、ブラシ台１４の係合凹部１５に対して係脱可能とされている。また、このブラシ取付部２３の表面部には、ブラシ毛２４が長手方向に沿って壁状に植設されている。
【００１９】
一方、掻取部材２２は、細長平板状で長手方向の一側両面に肉厚に膨出する掻き出し部２６を断面凹凸状に設けた弾性を有するブレード２７を備えている。このブレード２７の長手方向の他縁には、このブレード２７と同材質にて一体にブラシ台１４の係合凹部１５の断面形状に略合致した形状である細長略平板状のブレード取付部２８が形成されている。このブレード取付部２８は、ブラシ台１４の係合凹部１５に対して係脱可能とされている。
【００２０】
さらに、ブラシ台１４の各係合凹部１５のそれぞれの間には、ブラシ台１４の長手方向である軸方向に沿った断面略凹状の嵌合溝部としての係止凹部２９がそれぞれ形成されている。これら係止凹部２９は、基端側から先端側に向かうに連れて徐々に拡開したテーパ状に形成されている。また、このブラシ台１４には、断面円形状の貫通孔としてのシャフト挿通孔３１が同心状に設けられている。
【００２１】
このシャフト挿通孔３１は、ブラシ台１４の両端部間をこのブラシ台１４の中心軸に沿って軸方向に向けて貫通している。そして、ブラシ台１４内であるシャフト挿通孔３１内には、例えば鋼鉄やステンレス鋼（ＳＵＳ）などの、ブラシ台１４よりも硬質な部材である金属にて成形された円柱状の軸体としての棒体であるシャフト３２が挿通される。そして、このシャフト３２は、直線状に成形されており、このブラシ台１４の両端部から、このシャフト３２の両端部のそれぞれが突出した状態で、このブラシ台１４のシャフト挿通孔３１に挿通されて取り付けられている。この結果、ブラシ台１４は、シャフト３２により、押し出し成形時の歪みなどが矯正される。
【００２２】
また、このシャフト３２の両端部、すなわちシャフト３２をブラシ台１４のシャフト挿通孔３１に挿通させて取り付けた際にブラシ台１４の両端部からそれぞれ突出する部分には、固定部３３が一体に設けられている。この固定部３３は、シャフト３２の軸方向に沿って第１の嵌合部としての棒体溝部であるシャフト溝部３４を複数有している。これらシャフト溝部３４のそれぞれは、例えば断面略三角形状に設けられ、シャフト３２の周方向に、シャフト３２の断面に対して互いに所定の角度をなすように、略等角度の間隔でこのシャフト３２の全周に亘って設けられている。この結果、固定部３３は、シャフト３２の全周に亘って径方向の断面がそれぞれ三角形状となり、ジグザグ状の規則的な凹凸を有している。
【００２３】
そして、シャフト３２の両端部には、固定部３３から軸方向に向けて突出した円柱状の突出軸部３５がそれぞれ一体に設けられている。これら突出軸部３５は、シャフト３２と同心状に設けられており、例えばシャフト３２よりも外径寸法が小さく、すなわちシャフト３２よりも細く形成されている。
【００２４】
さらに、ブラシ台１４の両端部には、図１および図２に示すように、ブラシ台１４の両端部を保持固定する保持部材としての保持体である略円筒状の受板４１がそれぞれ同心状に取り付けられている。これら受板４１の中心部には、シャフト３２の固定部３３が圧入されて嵌合固定される回り止め部としての穴部である保持孔４２が設けられている。この保持孔４２の内周面には、受板４１の軸方向に沿って複数の第２の嵌合部としての保持体溝部である嵌合溝部４３が設けられている。
【００２５】
これら嵌合溝部４３のそれぞれは、保持孔４２の内周面から受板４１の径方向に向けて断面三角形状に切り欠き形成されており、固定部３３のシャフト溝部３４に対応する個数分、保持孔４２の内周面の全周に設けられている。すなわち、保持孔４２は、周方向に沿って固定部３３の外形の凹凸に対応したジグザグ状の規則的な凹凸を有している。このため、保持孔４２は、固定部３３のシャフト溝部３４が嵌合溝部４３に対向嵌合可能であり、この嵌合溝部４３にシャフト溝部３４が嵌合することで、シャフト３２に対して異なる複数の所定の角度で受板４１を回り止めして連結固定する。
【００２６】
そして、保持孔４２の一端部である先端部の開口縁には、嵌合突部としてのリブ４５が複数、例えば４つ、略等間隔で設けられている。これらリブ４５は、ブラシ台１４の各係止凹部２９に嵌合されて、このブラシ台１４をシャフト３２に保持固定する。言い換えると、これらリブ４５は、ブラシ台１４の各係止凹部２９に引っ掛けられて固定されている。
【００２７】
また、これらリブ４５は、受板４１の保持孔４２の開口方向である軸方向に沿って突出しており、ブラシ台１４の係止凹部２９に合致した断面形状を有している。さらに、これらリブ４５は、ブラシ台１４の両端部を受板４１に嵌合させた際に、ブラシ台１４の係止凹部２９のそれぞれに軸方向に沿って嵌合される。また、これらリブ４５は、ブラシ台１４の周方向である回転方向へのずれを規制する。
【００２８】
さらに、これらリブ４５の基端部である受板４１の周面部には、この受板４１の保持孔４２の周方向に沿って突出した円環状の内側鍔部４６が同心状に設けられている。この内側鍔部４６は、各リブ４５をブラシ台１４の一端の各係止凹部２９に軸方向に沿って移動させて嵌合させて、受板４１にブラシ台１４の一端部を係止した際に、このブラシ台１４の一端面が当接する。さらに、この内側鍔部４６は、ブラシ台１４の最大外径よりも若干大きな外径寸法を有しており、このブラシ台１４の係合凹部１５からのブラシ部材２１の抜けを防止する。
【００２９】
また、この内側鍔部４６よりも受板４１の先端側の周面部には、この受板４１の保持孔４２の周方向に沿って突出した円環状の外側鍔部４７が同心状に設けられている。この外側鍔部４７の外周面側には、外周面に周方向に向けて等間隔にギア溝４８が形成された略円筒状の歯車部４９が同心状に設けられている。
【００３０】
そして、歯車部４９の先端側の内側には、シャフト３２の端部を回転自在に固定する略円筒状の軸受５１が嵌合されている。この軸受５１の中心軸部には、突出軸部３５が挿通される挿通孔５２が軸方向に貫通して設けられている。すなわち、挿通孔５２は、軸受５１と同心状に設けられている。また、この軸受５１の先端側の外周面には、側面視略矩形状の係合面部５３が形成されている。
【００３１】
ここで、床ブラシ９のケース体１１の吸込口１２の走行方向に対する両側縁のそれぞれには、一対の軸支凹部５４が区画形成されている。これら軸支凹部５４のそれぞれには、受板４１の歯車部４９内に嵌合されてシャフト３２の両端部を回転自在に固定した軸受５１の係合面部５３がそれぞれ係合される。この結果、これら軸受５１は、一対の軸支凹部５４間にシャフト３２を回転自在に支持して固定させる。
【００３２】
一方、床ブラシ９のケース体１１内の一方の軸支凹部５４の後側には、駆動手段としてのモータ６１が収容されている。このモータ６１の先端部には、このモータ６１の駆動により回転する回転軸６２が突出している。この回転軸６２には、外周面に図示しないギア溝が形成された歯車６３が同心状に取り付けられている。この歯車６３のギア溝は、受板４１の歯車部４９のギア溝４８に等しい間隔および大きさに形成されている。さらに、この歯車６３は、床ブラシ９のケース体１１内に取り付けられた回転ブラシ１３の一方の受板４１の後側に位置し、この受板４１の回転方向に一致した回転方向を有している。
【００３３】
そして、この歯車６３と回転ブラシ１３の一方の受板４１の歯車部４９との間には、無端状の調帯としてのベルト体６４が橋渡すように巻回されている。このベルト体６４の内周面には、歯車６３のギア溝および歯車部４９のギア溝４８のそれぞれに係合可能な間隔および大きさである図示しないギア溝が形成されている。したがって、モータ６１を駆動させることにより、このモータ６１の回転軸６２の回転により歯車６３が回転し、この歯車６３の回転によってベルト体６４が回転して回転ブラシ１３の一方の受板４１が回転し、この回転ブラシ１３が周方向に向けて回転駆動される。
【００３４】
次に、上記第１の実施の形態の床ブラシの組み立て方法を説明する。
【００３５】
まず、押し出し成形したブラシ台１４の各係合凹部１５に、ブラシ部材２１のブラシ取付部２３および掻取部材２２のブレード取付部２８を交互に嵌合させて、ブラシ部材２１および掻取部材２２をそれぞれブラシ台１４の長手方向に沿って取り付ける。
【００３６】
次いで、ブラシ部材２１および掻取部材２２が外周面に取り付けられたブラシ台１４のシャフト挿通孔３１にシャフト３２を挿通させる。
【００３７】
この状態で、ブラシ台１４を周方向に向けて、例えば電気掃除機の機種などに応じて所定の角度捻り、シャフト３２の両端部の固定部３３を各受板４１の保持孔４２にそれぞれ圧入してこれら受板４１をシャフト３２の両端部に取り付ける。
【００３８】
このとき、シャフト溝部３４が嵌合溝部４３に対向嵌合し、各受板４１の各リブ４５のそれぞれをブラシ台１４の両端部から、このブラシ台１４の各係止凹部２９のそれぞれに嵌合させることで、ブラシ台１４が所定の角度に捻られた状態で各受板４１に回り止めされて保持される。
【００３９】
この後、シャフト３２の突出軸部３５を軸受５１の挿通孔５２に回転可能に挿通し、軸受５１を各受板４１に取り付けて回転ブラシ１３とする。
【００４０】
そして、この回転ブラシ１３の各軸受５１のそれぞれをケース体１１の軸支凹部５４のそれぞれに嵌合させて、このケース体１１の吸込口１２内に回転ブラシ１３を回転自在に軸支させて、床ブラシ９を完成する。
【００４１】
次に、上記第１の実施の形態による掃除動作を説明する。
【００４２】
まず、掃除をする際には、掃除機本体１にホース体４および延長管８を介して床ブラシ９を接続する。そして、このホース体４の把持部７を持って押動させて、床ブラシ９を床面上で前後に走行させる。
【００４３】
このとき、掃除機本体１内の電動送風機２の駆動により発生する吸込力によって、床ブラシ９の吸込口１２から空気とともに床面上の塵埃が吸い込まれる。
【００４４】
さらに、ホース体４の手許操作部５の所定の設定ボタン６をオンして、床ブラシ９の回転ブラシ１３を回転駆動させた場合には、この回転ブラシ１３のブラシ部材２１の回転により、このブラシ部材２１のブラシ毛２４にて床面がブラッシングされる。すなわち、この床面が板の間などである場合には、この床面にこびりついた塵埃が床面から掃き取られて取り除かれて磨かれ、床ブラシ９の吸込口１２へと吸い込まれる。
【００４５】
同時に、この回転ブラシ１３の掻取部材２２の回転により、床面上の塵埃が掃き取られる。すなわち、この床面が絨毯などである場合には、掻取部材２２のブレード２７の掻き出し部２６によって、絨毯の中に入り込んだ塵埃が外部へと掻き出されて取り除かれて、床ブラシ９の吸込口１２へと吸い込まれる。
【００４６】
この後、この床ブラシ９の吸込口１２から塵埃とともに吸い込まれた空気は、この床ブラシ９から延長管８およびホース体４を順次介して掃除機本体１の本体吸込口３へと吸い込まれた後、この掃除機本体１内に収容させた集塵パックへと吸い込まれて空気とともに吸い込んだ塵埃が捕捉される。
【００４７】
上述したように、上記第１の実施の形態では、ブラシ台１４の軸方向の両端部から突出して取り付けられるシャフト３２の両端部に固定部３３を一体に設け、受板４１に固定部３３が嵌合してシャフト３２に対して受板４１を回り止めする保持孔４２を設ける構成とした。
【００４８】
この結果、固定部３３を保持孔４２に嵌合させるだけで受板４１をシャフト３２に対して容易に回り止めできるので、例えばシャフトの両端部および受板にそれぞれ挿通孔を設け、これら挿通孔を位置合わせしてピンなどで止める従来の場合と比較して、製造性を向上できる。
【００４９】
また、シャフト３２の両端部の固定部３３に、複数のシャフト溝部３４を設け、保持孔４２の内周面に、複数の嵌合溝部４３を設けることで、受板４１とシャフト３２との周方向の相対的な角度を複数の所定の角度にして受板４１をシャフト３２に対して回り止めできる。
【００５０】
この結果、例えばブラシ台１４の捻り角度が異なる機種ごとにシャフト３２を設けなければならなかった従来の場合と比較して、ブラシ台１４、シャフト３２および両受板４１の１セットで捻り角度を複数に変化させることができ、多用途の回転ブラシ１３を製造できるとともに、部品の共通化などにより製造コストを抑制できる。
【００５１】
さらに、ブラシ台１４をオレフィン系の合成樹脂で形成したことにより、比較的容易に捻り加工できるとともに、多様な捻り角度をブラシ台１４に与えた場合であっても、このブラシ台１４の断面形状、すなわち捻り形状を確実に維持できる。
【００５２】
なお、上記第１の実施の形態において、固定部３３は、シャフト３２の一端部のみに設けられている構成も可能である。
【００５３】
また、固定部３３のシャフト溝部３４の数、あるいは形状などは、必要な所定の捻り角度に応じて設定すればよく、上記構成に限定されるものではない。
【００５４】
さらに、嵌合溝部４３も、シャフト溝部３４の形状などに応じて形状などを設定し、かつ必要な所定の捻り角度に応じて複数設けるようにすればよい。
【００５５】
次に、第２の実施の形態の電気掃除機を図６ないし図８を参照して説明する。なお、上記第１の実施の形態と同様の構成および作用については、同一符号を付してその説明を省略する。
【００５６】
図６および図７に示すように、シャフト３２は、中空パイプ状に形成されており、このシャフト３２の両端部近傍には、このシャフト３２の周方向に沿った断面凹溝状の係合溝部７１がそれぞれ形成されている。また、シャフト３２の外周面の両係合溝部７１よりも軸方向の中心側に偏位した部分には、それぞれ１対ずつ、計２対の溝部７２が設けられている。
【００５７】
これら溝部７２は、シャフト３２の径方向に沿って、シャフト３２の外周面を直線状に切り欠いて設けられている。また、これら溝部７２は、図７に示すように、シャフト３２の断面の中心に対してシャフト３２の内周面の径方向寄りの位置、すなわちシャフト３２の内周面よりも外方に設けられている。このため、溝部７２は、図７に示すように、断面視で略Ｄ字状に形成されている。
【００５８】
さらに、これら溝部７２は、シャフト３２の両端部に受板４１を取り付けた際に、これら受板４１の内側鍔部４６の外側鍔部４７と反対側の面に対応する位置に、シャフト３２の両端部から離間されてそれぞれ設けられている。
【００５９】
そして、各一対の溝部７２には、図６および図８に示すように、受板４１とシャフト３２とを互いに連結して回り止めする回り止め体としてのリング７３がそれぞれ嵌合して取り付けられる。これらリング７３は、若干の可撓性を有する合成樹脂などで略矩形状の外形を有する板状に形成されたリング本体７４を備えている。このリング本体７４は、幅寸法がシャフト３２の直径寸法よりも大きく、かつ厚さ寸法が溝部７２の幅寸法と略等しく形成されている。
【００６０】
また、リング本体７４には、嵌合凹部７５が長手方向の一端部から他端部近傍に亘って長穴状に切り欠き形成されている。すなわち、この嵌合凹部７５は、リング本体７４の長手方向の一端部に開口部７５ａを介して連通している。またさらに、この嵌合凹部７５は、長手方向の一端部がシャフト３２の直径寸法よりも小さく形成され、長手方向の中心域が幅方向に拡開されて溝部７２の間隔と略等しくなっている。さらに、この嵌合凹部７５は、長手方向の他端部が長手方向の中心域よりも縮径された縮径部７５ｂとなっている。
【００６１】
この結果、リング７３は、平面視で略Ｕ字状に設けられている。
【００６２】
一方、受板４１の内側鍔部４６の外側鍔部４７と反対側の面には、図８に示すように、回り止め部としての矩形状の保持凹部７７が設けられている。この保持凹部７７は、各リブ４５の間に位置し、リング７３のリング本体７４の外形に略沿った矩形状に形成されている。また、この保持凹部７７には、シャフト３２の溝部７２にそれぞれ取り付けたリング７３が嵌合可能である。さらに、この保持凹部７７の中心部には、シャフト３２の両端部が挿通可能な断面円形状の挿通孔部７８が受板４１を軸方向に貫通して設けられている。
【００６３】
そして、回転ブラシ１３を組み立てる際には、ブラシ部材２１および掻取部材２２を係合凹部１５に取り付けたブラシ台１４のシャフト挿通孔３１に、シャフト３２を挿通させ、ブラシ台１４の両端部から突出したシャフト３２の外周面の各一対の溝部７２に、それぞれリング７３を嵌合させる。
【００６４】
このとき、リング７３の嵌合凹部７５の開口部７５ａをシャフト３２の溝部７２に沿わせた状態で押し込むと、リング本体７４が有する可撓性により、嵌合凹部７５の開口部７５ａが若干幅方向に開き、嵌合凹部７５の長手方向の中心域が溝部７２の位置に来ると、嵌合凹部７５の開口部７５ａが復帰変形して閉じることで、リング７３が溝部７２から脱落しないように保持された状態で嵌合する。
【００６５】
そして、ブラシ台１４を周方向に向けて所定の角度捻った状態で、リング７３をそれぞれ取り付けたシャフト３２の両端部を各受板４１の挿通孔部７８に挿通させ、かつリング７３を保持凹部７７に嵌合させることで、ブラシ台１４が所定の角度に捻られた状態で各受板４１に回り止めされて保持される。
【００６６】
この後、シャフト３２の両端部を軸受５１の挿通孔５２に回転可能に挿通しつつ、軸受５１を各受板４１に取り付けて回転ブラシ１３とする。
【００６７】
上述したように、上記第２の実施の形態では、ブラシ台１４の軸方向の両端部から突出して取り付けられるシャフト３２の両端部の近傍に溝部７２を設け、この溝部７２に、受板４１の内側鍔部４６の外側鍔部４７と反対側の面に設けた保持凹部７７に嵌合して回り止めされるリング７３を固定する構成とした。
【００６８】
この結果、シャフト３２と受板４１とを容易に位置合わせして連結できるので、製造性を向上できる。
【００６９】
なお、上記第２の実施の形態において、リング７３の形状は、シャフト３２の断面の中心からの距離が互いに異なる複数の領域を有していれば、他の様々な形状とすることが可能である。
【００７０】
また、溝部７２および保持凹部７７の形状などは、リング７３の形状に応じて適宜設定する。特に、リング７３が複数の異なる角度で固定できるように保持凹部７７の形状を設定した場合には、ブラシ台１４の周方向への捻り角度を複数に変化させることができ、多用途の回転ブラシ１３を製造できるとともに、部品の共通化などにより製造コストを抑制できるなど、製造性をより向上できる。
【００７１】
さらに、上記各実施の形態において、床ブラシ９に回転ブラシ１３を複数配設してもよい。また、この回転ブラシ１３をモータ６１にて回転駆動させたが、電動送風機２による吸気風にて回転駆動させる構成とすることもできる。
【００７２】
そして、ブラシ台１４に４つの係合凹部１５を設けたが、このブラシ台１４に取り付けられる清掃部材の個数に合わせて、少なくとも一つ以上あればよい。また、この清掃部材としては、ブラシ部材２１や掻取部材２２に限らず、例えば布ブレードを有した床磨部材などでもよい。さらに、ブラシ台１４の係合凹部１５にブラシ部材２１および掻取部材２２を交互に取り付けたが、交互に限られず、ブラシ台１４の各係合凹部１５のそれぞれに一種類の掻取部材２２のみを取り付けたり、複数種類を取り付けたりしてもよい。
【００７３】
また、キャニスタ型の電気掃除機に限らず、床ブラシ９が掃除機本体１の下面に直接形成されたアップライト型、その他、掃除機本体１と床ブラシ９とが一体化された自走式の電気掃除機あるいはハンディ型などであっても対応させて用いることができる。
【００７４】
【発明の効果】
本発明によれば、軸体の取付部材から突出した部分に一体に設けられた固定部を回り止め部に嵌合するだけで保持部材が軸体に対して容易に回り止めできるため、製造性を向上できる。
【図面の簡単な説明】
【図１】本発明の第１の実施の形態の回転清掃体を一部を切り欠いて示す分解斜視図である。
【図２】同上回転清掃体を示す斜視図である。
【図３】同上回転清掃体を備えた電気掃除機の吸込口体を示す側面断面図である。
【図４】同上電気掃除機の吸込口体を示す平面図である。
【図５】同上電気掃除機の吸込口体を備えた電気掃除機を示す斜視図である。
【図６】本発明の第２の実施の形態の回転清掃体の一部を示す分解斜視図である。
【図７】同上回転清掃体の軸体を示す横断面図である。
【図８】同上回転清掃体の一部を示す分解斜視図である。
【符号の説明】
９    電気掃除機の吸込口体としての床ブラシ
１３    回転清掃体としての回転ブラシ
１４    取付部材としてのブラシ台
２１    清掃部材としてのブラシ部材
２２    清掃部材としての掻取部材
３２    軸体としてのシャフト
３３    固定部
３４    第１の嵌合部としてのシャフト溝部
４１    保持部材としての受板
４２    回り止め部としての保持孔
４３    第２の嵌合部としての嵌合溝部
７２    溝部
７３    回り止め体としてのリング
７７    回り止め部としての保持凹部
【図１】
2004351149.tif 000003
【図２】
2004351149.tif 000004
【図３】
2004351149.tif 000005
【図４】
2004351149.tif 000006
【図５】
2004351149.tif 000007
【図６】
2004351149.tif 000008
【図７】
2004351149.tif 000009
【図８】
2004351149.tif 000010